(57)【要約】【課題】  より使い勝手が良く、省エネルギに適した宅配物等が着荷したことを居住者に案内するエレベーターシステム。【解決手段】  乗りかご１内で行き先階の呼びを登録する手段（かご呼び釦ＣＢ１〜ＣＢ４），乗り場でエレベーターを呼び寄せるホール呼び手段（ホール釦ＨＢ１〜ＨＢ４），乗りかご１内においてかご位置を表示する手段（かご位置表示器ＣＨ１），宅配物を居室別に収納する手段（ロッカーＢＯＸ）、とを備えたエレベーターシステムにおいて、ロッカーＢＯＸに着荷があった場合、着荷した情報をエレベーターに伝送し、乗りかご内で表示可能とした。【選択図】図１
2009137732.tif 000002
【特許請求の範囲】
【請求項１】
乗りかご内で行き先階の呼びを登録する手段と、乗り場でエレベーターを呼び寄せるホール呼び手段，前記乗りかご内においてかご位置を表示する手段，宅配物を居室別に収納する手段、とを備えたエレベーターシステムにおいて、
前記収納する手段に着荷があった場合、着荷した情報を前記エレベーターに伝送し、前記乗りかご内で表示可能としたことを特徴とするエレベーターシステム。
【請求項２】
請求項１に記載のものにおいて、前記着荷した情報はパスワードが入力されたことにより、表示されることを特徴とするエレベーターシステム。
【請求項３】
請求項１に記載のものにおいて、前記乗りかご内でパスワードが入力可能とされ、前記パスワードが入力された場合、前記パスワードに対応した居室に対する着荷の有無が表示されることを特徴とするエレベーターシステム。
【請求項４】
請求項１に記載のものにおいて、前記着荷した情報の表示は所定時間だけ行われることを特徴とするエレベーターシステム。
【請求項５】
請求項１に記載のものにおいて、前記着荷した情報の表示は前記乗りかご内の運転盤に備えられた操作釦により可能となり、前記かご位置を表示する手段で表示されることを特徴とするエレベーターシステム。
【発明の詳細な説明】
【技術分野】
【０００１】
本発明は、マンション，アパートなどの共同住宅玄関のエントランスホールなどに設置され、宅配物などを居室別に収納可能なロッカーを設け、宅配物等が着荷したことを居住者に案内するエレベーターシステムに関する。
【背景技術】
【０００２】
従来、ロッカーに荷物が配達されたことを居室にて確認できるようにするため、共用ロッカーシステムの着荷データをエントランスホールと居室を繋ぐインターホンシステムに乗せることが知られ、例えば特許文献１に記載されている。
【０００３】
【特許文献１】特開平５−１６２７８９号公報
【発明の開示】
【発明が解決しようとする課題】
【０００４】
上記従来技術においては、エントランスホールなどに設置されたロッカーに宅配物等が着荷したことを居室に伝えるため、居住者が帰宅時に玄関から高層階の居室に戻り、それから着荷案内された場合、居室からもう一度集合玄関階に戻らなければならないことになり、使い勝手が悪く、エレベーター等を利用する電力も無駄に消費せざるを得なかった。
【０００５】
本発明の目的は、上記従来技術の課題を解決し、より使い勝手が良く、省エネルギに適した宅配物等が着荷したことを居住者に案内するエレベーターシステムを提供することにある。
【課題を解決するための手段】
【０００６】
上記課題を解決するため、本発明は、乗りかご内で行き先階の呼びを登録する手段と、乗り場でエレベーターを呼び寄せるホール呼び手段，前記乗りかご内においてかご位置を表示する手段，宅配物を居室別に収納する手段、とを備えたエレベーターシステムにおいて、前記収納する手段に着荷があった場合、着荷した情報を前記エレベーターに伝送し、前記乗りかご内で表示可能としたものである。
【発明の効果】
【０００７】
本発明によれば、着荷した情報をエレベーターに伝送し、乗りかご内で表示されるので、宅配物の着荷を居室で知るものに比べて、利便性及び省エネ性の向上したものとすることができる。
【発明を実施するための最良の形態】
【０００８】
以下、図面を参照して本発明の一実施形態について説明する。
【０００９】
図１は各階居室と集合玄関にセキュリティ用インターホンを設置した場合のシステム構成である。号機制御盤ＣＰ１内に設置する号機制御用ＭＰＵ（マイクロプロッセサユニット）ボードＣＭＰＵ１は、かご用多重伝送路ＣＬ１を用いて乗りかご１上に設置されるかご制御ＭＰＵであるＣＴ１と接続。さらにホール用多重伝送路ＨＬ１を用いて各階ホールに設置されるホール制御ＭＰＵであるＨＴ１〜ＨＴ４が接続される。
【００１０】
かご制御ＭＰＵであるＣＴ１はかご内運転盤ＣＤ１とかご呼び釦ＣＢ１〜ＣＢ４（行き先階の呼びを登録する手段）を制御する。また、かご位置を表示するかご位置表示器ＣＨ１（かご位置を表示する手段）を制御する。ホール制御ＭＰＵであるＨＴ１〜ＨＴ４はホール釦ＨＢ１〜ＨＢ４（ホール呼び手段）を制御する。
【００１１】
宅配ロッカー制御器ＳＥ１は、複数のロッカーＢＯＸ１と接続され、多重伝送路ＳＥＬ１を介して号機制御用ＭＰＵボートＣＭＰＵ１と接続する。いずれかのロッカーＢＯＸに荷物が収納されたことを検出すると、ロッカー制御器多重伝送路ＳＥＬ１を介して、宅配ロッカー制御器ＳＥ１から着荷情報が号機制御用ＭＰＵボードＭＰＵ１に伝送される。
【００１２】
図２はパスワード入力モード検出フローチャートを示している。本例では特殊操作（パスワード入力用の操作）として開閉釦の同時押しを例として説明する。ステップＳ１００００ではかご内での開閉釦同時押し３秒の検出有無を判定する。３秒以上押されたことを検出した場合、ステップＳ１１０００に移行しパスワード入力モードフラグ（ｆｌｇ１）を許可モードとしてＯＮ状態に移行する。
【００１３】
図３は着荷表示可否判定処理フローチャートを示している。ステップＳ２００００ではｆｌｇ１の状態を判定する。ＯＮであればステップＳ２１０００へ移行、ＯＦＦであればステップＳ２７０００へ移行する。ステップＳ２１０００ではタイマ１が所定時間満了したかを判定する。（例えば３秒）、３秒を経過していなければステップＳ２２０００へ移行、３秒経過していればステップＳ２７０００へ移行する。ステップＳ２２０００ではタイマ１を加算処理する。
【００１４】
次にステップＳ２３０００ではパスワード入力されたかを判定する。パスワードが入力されていればステップＳ２４０００へ移行し、パスワードと適合する居室Ｎｏを算出（検索）する。その結果正常に居室Ｎｏが検索できればステップＳ２４５００でパスワード入力後に運転盤でなんらかの釦操作がされたかどうかを確認する。なんらかの釦操作があればステップＳ２８５００へ移行する。運転盤の操作がなされてなければステップＳ２５０００へ移行する。
【００１５】
ステップＳ２５０００では宅配ロッカー制御器からの着荷情報としてロッカー毎の着荷データを保持していたものと、居室Ｎｏを照合しその居室に対する着荷があるかどうかを判定する。その結果、着荷があると判定されればステップＳ２６０００へ移行する。着荷が無いと判定されればステップＳ２９０００へと移行する。ステップＳ２７０００ではタイマ１をクリアする。ステップＳ２８０００ではｆｌｇ１をクリアする。ステップＳ２８５００ではｆｌｇ２をクリアする。ステップＳ２６０００では着荷有り表示フラグとしてｆｌｇ２に＄８００１をセットする。ステップＳ２９０００では着荷無し表示としてｆｌｇ２に＄８００２をセットする。
【００１６】
図４は着荷表示処理フローチャートを示す。ステップＳ３００００では着荷表示許可フラグｆｌｇ２について判定を行う。ｆｌｇ２が０であれば本処理を終了する。ｆｌｇ２が０以外であればステップＳ３１０００でｆｌｇ２が＄８００１かを判定する。判定結果が＄８００１であればステップＳ３１５００へ移行、＄８００１以外であればステップＳ３３５００へ移行する。ステップＳ３３５００ではｆｌｇ２が＄８００２であるかを判定する。ｆｌｇ２が＄８００２以外であればステップＳ３４０００へ移行する。ｆｌｇ２が＄８００２であればステップＳ３１５００へ移行する。
【００１７】
次にステップＳ３１５００ではタイマ２が５秒のカウントを満了したかを判定する。５秒を経過していればステップＳ３４０００へ移行、５秒を経過していなければステップＳ３２０００へ移行する。ステップＳ３２０００ではかご位置表示器ＣＨ１に対して表示制御を行うが、この時の表示内容はｆｌｇ２の内容による。＄８００１であれば着荷有り表示、＄８００２であれば着荷無表示、０であれ通常表示を行う。ステップＳ３３０００ではタイマ２をインクリメントする。
【００１８】
ステップＳ３４０００ではタイマ２をクリア、ステップＳ３５０００ではｆｌｇ２をクリアしステップｓ３２０００へ移行する。
【００１９】
以上のように、いずれかのロッカーＢＯＸに荷物が収納されたことを検出すると、多重伝送路ＳＥＬ１を介して、宅配ロッカー制御器ＳＥ１から着荷情報がエレベーターの号機制御用ＭＰＵボードＭＰＵ１に伝送され、宅配物収納手段からの着荷情報をエレベーターがあらかじめ入手したことになる。そこで、乗りかご内に乗り込んだ人は、開閉釦の同時押しを３秒以上続けると、パスワード入力モードフラグ（ｆｌｇ１）を許可モードとなり、かご内運転盤でパスワードを入力する。そして、パスワードと対応する居室Ｎｏの居室に対する着荷があると、かご内に設けられたかご位置表示器ＣＨ１に着荷有りの表示を所定時間だけ行う。したがって、通常１階であるエントランスホールなどに設置されたロッカーの着荷の有無をエレベーター内で居室に着く前に知ることができ、無駄な時間，エレベーターを駆動するための動力を節減することができる。
【図面の簡単な説明】
【００２０】
【図１】本発明の一実施例による全体構造を示すブロック図。
【図２】本発明の一実施例によるパスワード入力モード検出処理を示す動作フローチャート。
【図３】本発明の一実施例による着荷表示可否判定処理を示す動作フローチャート。
【図４】本発明の一実施例による着荷表示処理を示す動作フローチャート。
【符号の説明】
【００２１】
１  乗りかご
ＣＰ１  号機制御盤
ＣＭＰＵ１  号機制御ＭＰＵ
ＣＬ１  かご用多重伝送路
ＨＬ１  ホール用多重伝送路
ＣＴ１  かご制御ＭＰＵ
ＨＴ１〜４  ホール制御ＭＰＵ
ＣＢ１〜ＣＢ４  かご呼び釦
ＨＢ１〜ＨＢ４  ホール釦
ＣＤ１  かご内運転盤
ＳＥ１  宅配ロッカー制御器
ＳＥＬ１  ロッカー制御器多重伝送路
ＢＯＸ１  ロッカーＢＯＸ
【図１】
2009137732.tif 000003
【図２】
2009137732.tif 000004
【図３】
2009137732.tif 000005
【図４】
2009137732.tif 000006